(57)【特許請求の範囲】
【請求項１】
固定部材に対して水平方向に移動自在に設けられディスクを前記固定部材の内側のチャッキング位置まで搬送する搬送部材と、一端部が固定部材に回動自在に支持され前記搬送部材の移動に連動してこの一端部を中心に他端部が上下に回動する連動部材と、前記連動部材に連係され一端部が前記固定部材に回動自在に支持され前記連動部材の回動によりこの一端部側を中心にして他端部が上下に回動する可動部材とを備え、
前記固定部材は、チャッキングユニットが取り付けられた枠状のローディングシャーシであり、前記搬送部材は、前記ディスクが載置されるトレイであり、前記連動部材は、前記トレイの移動によってその他端部が回動されるリフトアームであり、前記可動部材は、前記チャッキングユニットに接離自在に吸着して前記チャッキングユニットとの間に前記ディスクを挟持するターンテーブル及びこのターンテーブルを回転駆動するモータがその回動側である他端部に取り付けられたドライブシャーシであるローディング機構において、
前記ドライブシャーシの後端部はゴムから成る緩衝部材により前記ローディングシャーシに回動自在に支持され、かつ、前記ドライブシャーシの前端部と前記リフトアームとが２カ所においてゴムから成る緩衝部材により係合されて、リフトアームの前端部の上下動によりドライブシャーシが回動してその前端部が上下動するようになっていると共に、
前記ドライブシャーシの前端部と前記リフトアームとを２カ所において結合している緩衝部材が、前記リフトアームの前記ローディングシャーシへの支持位置と、前記リフトアームの前記トレイの移動による回動力が作用する作用位置とを結ぶ線上またはその近傍に配設されていることを特徴とするローディング機構。
【発明の詳細な説明】
【技術分野】
【０００１】
この発明は、ＣＤ、ＣＤ−ＲＯＭやＤＶＤ等のディスクを回転駆動する位置まで移送するローディング機構に関する。
【背景技術】
【０００２】
従来、ディスクであるＣＤを再生するＣＤプレーヤにおけるローディング機構は、固定部材としての樹脂からなる枠状のローディングシャーシの前面に、ＣＤを搬送してローディングシャーシ内に挿入しかつＣＤをローディングシャーシ内から排出する搬送部材としてのトレイが前後方向に移動自在に設けられている。また、ローディングシャーシの上面には、ＣＤのチャッキングを行うマグネットを備えたチャッキングユニットが上下動自在に取り付けられている。
【０００３】
更に、ローディングシャーシ内の前部には、連動部材としてのリフトアームが配設され、このリフトアームは、左右の両側後端がローディングシャーシの左右の両側板に回動自在に枢支され、前端部がカム等の伝達部材に係合して、トレイの移動によりリフトアーム前端部に回動力が与えられて上下動するようになっている。
【０００４】
また、ローディングシャーシ内には可動部材としてのドライブシャーシが配設されると共に、このドライブシャーシの後端部がローディングシャーシに回動自在に支持されてその前端部が上下動する。このドライブシャーシの前端部にはモータが取り付けられ、モータのシャフトにターンテーブルが固着されてチャッキングユニットの下方に配設され、ターンテーブルの上面に金属製のチャッキングヨークが設けられているため、ドライブシャーシの回動によって、ターンテーブルがチャッキングユニットに接離自在に吸着するようになっている。
【０００５】
そして、ドライブシャーシの回動に伴うターンテーブルの上動により、チャッキングヨークがチャッキングユニットのマグネットに吸引され、チャッキングユニットとターンテーブルとの間にＣＤが挟持されてチャッキングが行われる。一方、ドライブシャーシの回動に伴うターンテーブルの下動により、チャッキングユニットのマグネットに吸引されたチャッキングヨークが強制的に離反され、チャッキングユニットとターンテーブルとによるＣＤの挟持状態が解除されてアンチャッキングが行われる。
【０００６】
ところで、上記したように、ドライブシャーシの回動によりターンテーブルを上下動させることでＣＤのチャッキング及びアンチャッキングを行っているが、これはドライブシャーシの前端部とリフトアームとが係止されることにより、リフトアームの前端部の上下動によってドライブシャーシが回動するようになっているためである。
【０００７】
従って、トレイの後方への移動に伴ってリフトアームの前端部が上動し、リフトアームの前端部の上動によりドライブシャーシの前端部が押し上げられるようにして上動し、トレイの前方への移動に伴ってリフトアームの前端部が下動し、リフトアームの前端部の下動によりドライブシャーシの前端部が下動する。
【０００８】
上記した構成の他にも公知のディスクのローディング機構がある（たとえば、特許文献１、特許文献２、特許文献３参照）。
【特許文献１】特公平４−６３４５７号公報
【特許文献２】特開平８−７７５３６号公報
【特許文献３】特開平１０−２１６１９号公報
【発明の開示】
【発明が解決しようとする課題】
【０００９】
ところが、上記した従来の構成の場合、ドライブシャーシの前端部とリフトアームとの係止位置は、リフトアーム後端のローディングシャーシへの枢支点と、リフトアーム前端部への回動力の付与される点とを結ぶ直線上に位置していないため、この直線を軸線とする回転モーメントがアンチャッキング状態からチャッキング完了直前までの間にリフトアームに発生し、この回転モーメントがＣＤのチャッキングの位置精度を低下させる要因のひとつにもなっている。このとき、ドライブシャーシの前端部とリフトアームとの係止位置が軸線から遠ざかるほど回転モーメントは大きくなり、チャッキング完了後もドライブシャーシのぐらつきなどを招いて不安定なチャッキングになるおそれがある。
【００１０】
この発明が解決しようとする課題は、チャッキング完了時のがたつき等を防止できるようにすることにある。
【課題を解決するための手段】
【００１１】
上記した課題を解決するために、本発明は、固定部材に対して水平方向に移動自在に設けられディスクを前記固定部材の内側のチャッキング位置まで搬送する搬送部材と、一端部が固定部材に回動自在に支持され前記搬送部材の移動に連動してこの一端部を中心に他端部が上下に回動する連動部材と、前記連動部材に連係され一端部が前記固定部材に回動自在に支持され前記連動部材の回動によりこの一端部側を中心にして他端部が上下に回動する可動部材とを備え、前記固定部材は、チャッキングユニットが取り付けられた枠状のローディングシャーシであり、前記搬送部材は、前記ディスクが載置されるトレイであり、前記連動部材は、前記トレイの移動によってその他端部が回動されるリフトアームであり、前記可動部材は、前記チャッキングユニットに接離自在に吸着して前記チャッキングユニットとの間に前記ディスクを挟持するターンテーブル及びこのターンテーブルを回転駆動するモータがその回動側である他端部に取り付けられたドライブシャーシであるローディング機構において、前記ドライブシャーシの後端部はゴムから成る緩衝部材により前記ローディングシャーシに回動自在に支持され、かつ、前記ドライブシャーシの前端部と前記リフトアームとが２カ所においてゴムから成る緩衝部材により係合されて、リフトアームの前端部の上下動によりドライブシャーシが回動してその前端部が上下動するようになっていると共に、前記ドライブシャーシの前端部と前記リフトアームとを２カ所において結合している緩衝部材が、前記リフトアームの前記ローディングシャーシへの支持位置と、前記リフトアームの前記トレイの移動による回動力が作用する作用位置とを結ぶ線上またはその近傍に配設されていることを特徴としている。
【００１２】
このような構成によれば、前記ドライブシャーシの後端部がゴムから成る緩衝部材により前記ローディングシャーシに回動自在に支持されていることに加え、前記ドライブシャーシの前端部と前記リフトアームとが２カ所においてゴムから成る緩衝部材により係合されて、リフトアームの前端部の上下動によりドライブシャーシが回動してその前端部が上下動するようになっていると共に、前記ドライブシャーシの前端部と前記リフトアームとを２カ所において結合している緩衝部材が、前記リフトアームの前記ローディングシャーシへの支持位置と、前記リフトアームの前記トレイの移動による回動力が作用する作用位置とを結ぶ線上またはその近傍に配設されていることにより、従来のように連動部材（リフトアーム）に回転モーメントが発生することがなく、チャッキングの位置精度の低下を防止することができる。
【００１３】
また、ＣＤ等のチャッキング時における位置精度の向上を図ることができ、ＣＤ等を安定して回転することが可能になり、ＣＤ等のディスクの駆動装置として好適なローディング機構を実現することができる。
【発明の効果】
【００１４】
以上のように、本発明によれば、従来のように連動部材に回転モーメントが発生することを防止でき、チャッキングの位置精度の低下を防止することが可能になる。また、ＣＤ等のディスクの駆動装置として好適なローディング機構を実現することができる。
【発明を実施するための最良の形態】
【００１５】
この発明をＣＤプレーヤに適用した場合の一実施形態について図１ないし図４を参照して説明する。但し、図１は一部の平面図、図２は一部のある状態における右側面図、図３は一部の異なる状態における右側面図、図４は他の一部の断面図である。
【００１６】
これら図１ないし図３において、１はチャッキングユニットであり、図示されていない固定部材としての樹脂からなる枠状のローディングシャーシの上面に上下動自在に取り付けられている。このとき、ローディングシャーシ内に挿入された状態のＣＤの上方位置におけるローディングシャーシの上面内側に、断面コ字状の皿形状のホルダが取り付けられ、このホルダの中央部に形成された円形の開口にチャッキングユニット１が上下動自在に支持されている。
【００１７】
また、チャッキングユニット１は、リング状のマグネットと、上記したホルダの開口内に配設され内側にマグネットを保持する樹脂製のガイド体と、ホルダの開口の口径よりも径大の円板状を有しガイド体に取り付けられてマグネットを押える円板状の金属製の押え板とにより構成されている。
【００１８】
一方、ローディングシャーシの前面には、ＣＤをローディングシャーシ内に挿入しかつＣＤをローディングシャーシ内から排出する搬送部材としてのトレイが前後方向に移動自在に設けられている。
【００１９】
更に図１ないし図３において、２はローディングシャーシ内の前部に配設された連動部材としての平面視ほぼコ字状のリフトアームであり、このリフトアーム２の左右の両側後端に形成された突起２ａ、２ｂがローディングシャーシの左右の両側板（図示せず）の凹部に回動自在に嵌挿し、リフトアーム２の前端に形成された２個の突状のガイド体２ｃ、２ｄがカム等の伝達部材（図示せず）に係合しており、これによって上記したトレイの前後への移動によりリフトアーム２の前端部に回動力が与えられて上下動するようになっている。
【００２０】
また図１ないし図３において、３はローディングシャーシ内に配設された可動部材としての平面視ほぼロ字状を成すドライブシャーシであり、このドライブシャーシ３の後端部はゴムから成る緩衝部材４によりローディングシャーシに回動自在に支持され、ドライブシャーシ３の前端部とリフトアーム２とが２カ所においてゴムから成る緩衝部材５により係合され、リフトアーム２の前端部の上下動によりドライブシャーシ３が回動してその前端部が上下動するようになっている。
【００２１】
このとき、ＣＤのチャッキング時及びアンチャッキング時それぞれにおいて、特に図２に示されるように、ドライブシャーシ３の回動軌跡円Ｓ１とリフトアーム２の回動軌跡円Ｓ２とが交わる２つの交点Ｐ１、Ｐ２及びこれを含む近傍にそれぞれ位置するように、両緩衝部材５が配設されている。更に、図１に示されるように、リフトアーム２のローディングシャーシへの支持位置である突起２ａ、２ｂの位置それぞれと、リフトアーム２のトレイの移動による回動力が作用する作用位置である両ガイド体２ｃ、２ｄの位置それぞれとを結ぶ線Ｌ１、Ｌ２の近傍に、両緩衝部材５が配設されている。
【００２２】
ところで、これら緩衝部材４、５は同じ構成を有しており、緩衝部材５を例としてその構成説明すると、図４に示すように外側円筒体５ａと、この外側円筒体５ａの内側に配設された内側円筒体５ｂと、外側円筒体５ａの下端側端縁及び内側円筒体５ｂの上端側端縁に両端がそれぞれ接合されて両円筒体５ａ、５ｂに一体的に設けられた漏斗状の振動吸収体５ｃとにより構成されている。
【００２３】
そして、図４に示すように、リフトアーム２に形成されたボス２ｅに、内側円筒体５ｂが外嵌されてワッシャ６ａ付きのねじ６により固定されている。更に、各緩衝部材５の外側円筒体の外周には周方向の溝５ｄが形成され、ドライブシャーシの左、右前端部にはそれぞれ円形孔３ａが形成されており、緩衝部材５の外側円筒体５ａの溝５ｄに円形孔３ａ周縁のドライブシャーシ３が嵌挿することによって、両緩衝部材５の外側円筒体５ａがドライブシャーシ３に取り付けられている。一方、緩衝部材４ではこれと同様に、ローディングシャーシに形成されたボスに内側円筒体が外嵌されてワッシャ付きのねじ等により固定され、緩衝部材４の外側円筒体の溝に、ドライブシャーシ３の後端部に形成された円形孔周縁のドライブシャーシ３が嵌挿し、緩衝部材４の外側円筒体がドライブシャーシ３に取り付けられている。
【００２４】
また、図２、図３に示されるように、ドライブシャーシ３の前端部にはモータ８が取り付けられ、このモータ８のシャフトにターンテーブル９が固着されてターンテーブル９がチャッキングユニット１の下方に配設されている。このターンテーブル９の上面に形成された円形の溝には、金属製のリング状のチャッキングヨークがその上面を露出して埋設されており、ドライブシャーシ３の回動によって、このチャッキングヨークがチャッキングユニット１のマグネットに吸引されてターンテーブル９がチャッキングユニット１に接離自在に吸着するようになっている。
【００２５】
更に、図１に示されるように、チャッキング時にトレイの下面に当接する弾性体であるスポンジ片１１がリフトアーム２の左、右端部の上面に貼着されて設けられている。このとき、アンチャッキング時には、スポンジ片１１はトレイに当接することがなく、チャッキング時にのみトレイとリフトアーム２との間に当接状態で介在するようになっている。
【００２６】
そして、ドライブシャーシの回動に伴うターンテーブル９の上動により、チャッキングヨークがチャッキングユニット１のマグネットに吸引され、チャッキングユニット１とターンテーブル９との間にＣＤが挟持されてチャッキングが行われる。一方、ドライブシャーシ３の回動に伴うターンテーブル９の下動により、チャッキングユニット１のマグネットに吸引されたチャッキングヨークが強制的に離反され、チャッキングユニット１とターンテーブル９とによるＣＤの挟持状態が解除されてアンチャッキングが行われる。
【００２７】
このように、チャッキング時及びアンチャッキング時それぞれに、ドライブシャーシ３の回動軌跡円Ｓ１とリフトアーム２の回動軌跡円Ｓ２とが交わる交点Ｐ１、Ｐ２及びその近傍に位置するように２個の緩衝部材５を配設したため、従来のようにリフトアーム後端のローディングシャーシへの枢支部分に遊びを設ける必要がなくなり、アンチャッキング状態からチャッキング完了直前までの間における位置ずれ（がたつきを含む）を防止することができ、ディスクを位置精度よくチャッキングすることが可能になる。
【００２８】
また、リフトアーム２のローディングシャーシへの支持位置である両突起２a 、２ｂの位置それぞれと、リフトアーム２のトレイの移動による回動力が作用する作用位置である両ガイド体２ｃ、２ｄそれぞれとを結ぶ線Ｌ１、Ｌ２の近傍に両緩衝部材５を配設したため、従来のようにリフトアームに回転モーメントが発生することを防止できる。
【００２９】
従って、上記した実施形態によれば、チャッキングの位置精度の向上を図ることができ、ＣＤを安定して回転することが可能になり、チャッキング動作を精度よく確実に行うことができ、しかもチャッキング完了時のがたつき等をも防止することができる。
【００３０】
また、リフトアーム２に設けたスポンジ片１１により、チャッキング時にドライブシャーシ３側で生じる微少振動（ビビリ）がトレイに伝達されることを確実に防止でき、いわゆるビビリ音の発生を防止することができる。
【００３１】
なお、上記した実施形態では、特に連動部材であるリフトアーム２と可動部材であるドライブシャーシ３とを連係する緩衝部材５として、外側円筒体、内側円筒体及び振動吸収体から成る構成のものを用いた場合について説明したが、緩衝部材はこれに限定されるものではなく、要するに衝撃を吸収して一方の部材から他方の部材への衝撃の伝達を抑制し得るものであればよい。
【００３２】
また、上記した実施形態では、弾性体としてのスポンジ片１１を、リフトアーム２の上面に貼着して設けた場合について説明したが、トレイの下面に設けてもよいのはいうまでもない。このときの弾性体は、上記したスポンジ片に限られるものではなく、ゴムや板ばね等であっても構わない。
【００３３】
更に、上記した実施形態では、ＣＤプレーヤのローディング機構に本発明を適用した場合について説明したが、ＣＤプレーヤ以外のその他のディスク記録再生装置のローディング機構にも本発明を適用することは当然に可能である。
【００３４】
また、本発明は上記した実施形態に限定されるものではなく、その趣旨を逸脱しない限りにおいて上述したもの以外に種々の変更を行うことが可能である。
【図面の簡単な説明】
【００３５】
【図１】この発明の一実施形態の一部の平面図である。
【図２】一実施形態の一部のある状態における右側面図である。
【図３】一実施形態の一部の異なる状態における右側面図である。
【図４】一実施形態の他の一部の断面図である。
【符号の説明】
【００３６】
１  チャッキングユニット
２  リフトアーム（連動部材）
３  ドライブシャーシ（可動部材）
４，５  緩衝部材
【図１】
0003723978.tif 000002
【図２】
0003723978.tif 000003
【図３】
0003723978.tif 000004
【図４】
0003723978.tif 000005